(57)【要約】【課題】着座者の上半身全体を傾けて他動的に上半身全体の両側部の筋肉の伸展収縮を行うことができ、高いストレッチ効果や運動効果を得ることができる座位式他動運動機器を提供する。【解決手段】座面２ａにおいて着座者３の臀部左側部分を支持する部分を左側支持部４とする。座部２の座面２ａにおいて着座者３の臀部右側部分を支持する部分を右側支持部５とする。左側支持部４及び右側支持部５を独立して上下動させる駆動手段を備える。【選択図】図１
2009125503.tif 000002
【特許請求の範囲】
【請求項１】
座面において着座者の臀部左側部分を支持する部分を左側支持部とすると共に着座者の臀部右側部分を支持する部分を右側支持部とし、左側支持部及び右側支持部を独立して上下動させる駆動手段を備えることを特徴とする座位式他動運動機器。
【請求項２】
上記左側支持部及び右側支持部を逆位相で上下動させる駆動手段を備えることを特徴とする請求項１に記載の座位式他動運動機器。
【請求項３】
上記左側支持部及び右側支持部をランダムで上下動させる駆動手段を備えることを特徴とする請求項１に記載の座位式他動運動機器。
【請求項４】
上記着座者の背を受ける背受部と、該背受部の前面に設けた背押圧部と、該背押圧部を前後動させる背押圧部駆動手段を備えることを特徴とする請求項１乃至３のいずれか１項に記載の座位式他動運動機器。
【請求項５】
上記背押圧部を背受部の前面の左右両側に夫々設け、左右の背押圧部を独立して前後動させる背押圧部駆動手段を備えることを特徴とする請求項４に記載の座位式他動運動機器。
【請求項６】
上記駆動手段による各支持部の上昇時に背押圧部を前方に移動させる背押圧部駆動手段を備えることを特徴とする請求項４又は請求項５に記載の座位式他動運動機器。
【請求項７】
上記各支持部を上下動させる駆動手段をエアバッグと該エアバッグを膨張収縮させるエアポンプで構成することを特徴とする請求項１乃至６のいずれか１項に記載の座位式他動運動機器。
【発明の詳細な説明】
【技術分野】
【０００１】
本発明は座位式他動運動機器に関する。
【背景技術】
【０００２】
従来より椅子に長時間着座した人の疲労や腰痛や背痛等の痛み、こりなどを解消する目的で、椅子の座部の形状や材質等を着座者の体型に合わせたものが利用されているが、椅子に長時間座った場合に一定の姿勢を維持し続けることは避けられず、依然として改善の余地がある。
【０００３】
また、例えば特許文献１にはマッサージ椅子が開示してあり、このものは座部の前後方向中央部における左右両側部分の夫々にエアバッグを設け、各エアバッグを交互に膨張収縮することで各エアバッグに支持された着座者の脚の付け根部分を交互に上下動し、これにより着座者のストレッチ運動を行うマッサージ椅子が開示してある。
【０００４】
しかし上記特許文献１に示すマッサージ椅子は着座者の上半身全体を他動的に左右に傾けるものではなく、着座者の上半身の左側部及び右側部の筋肉を効果的に伸展収縮させることができず、ストレッチ効果が低いという問題があった。
【特許文献１】特開２００４−１３５８０７号公報
【発明の開示】
【発明が解決しようとする課題】
【０００５】
本発明は上記従来の問題点に鑑みてなされたものであって、着座者の上半身全体を傾けて他動的に上半身全体の両側部の筋肉の伸展収縮を行うことができ、高いストレッチ効果や運動効果を得ることができる座位式他動運動機器を提供することを課題とするものである。
【課題を解決するための手段】
【０００６】
上記課題を解決するために本発明に係る座位式他動運動機器は、座面２ａにおいて着座者３の臀部左側部分を支持する部分を左側支持部４とすると共に着座者３の臀部右側部分を支持する部分を右側支持部５とし、左側支持部４及び右側支持部５を独立して上下動させる駆動手段を備えることを特徴とする。このように座部２の座面２ａにおいて臀部左側部分を支持する左側支持部４と臀部右側部分を支持する右側支持部５を独立して上下動させる駆動手段を有することで、左側支持部４及び右側支持部５をタイミングをずらして上下動させることができ、これにより着座者３の上半身全体を側方に傾け、着座者３に上半身の一方の側部の筋肉が伸展すると共に他方の筋肉が収縮する他動運動を行わせることができる。
【０００７】
また、上記左側支持部４及び右側支持部５を逆位相で上下動させる駆動手段を備えることが好ましい。左側支持部４が最上方位置にある時に右側支持部５を最下方位置に配置できると共に右側支持部５が最上方位置ある時に左側支持部４を最下方位置に配置できて、着座者３の上半身を大きく傾けることができる。
【０００８】
また、上記左側支持部４及び右側支持部５をランダムで上下動させる駆動手段を備えることが好ましい。左側支持部４及び右側支持部５の上下動を着座者３が意図しない動きとすることができる。
【０００９】
また、上記着座者３の背を受ける背受部１７と、該背受部１７の前面に設けた背押圧部１８、１９と、該背押圧部１８、１９を前後動させる背押圧部駆動手段を備えることが好ましい。上記のように左側支持部４及び右側支持部５により着座者３の上半身の両側部の筋肉を交互に伸展収縮させつつ、背押圧部１８、１９により背（背中及び腰部）を前方に押圧できる。
【００１０】
また、上記背押圧部１８、１９を背受部１７の前面の左右両側に夫々設け、左右の背押圧部１８、１９を独立して前後動させる背押圧部駆動手段を備えることが好ましい。左右いずれかの背押圧部１８、１９により背（背中及び腰部）の側部を前方に押圧して上半身を捻ることができる。
【００１１】
また、上記駆動手段による各支持部４、５の上昇時に背押圧部１８、１９を前方に移動させる背押圧部駆動手段を備えることが好ましい。着座者３の上半身の一方の側部の筋肉が伸展すると共に他方の筋肉が収縮した状態で、背押圧部１８、１９により背（背中及び腰部）を前方に押圧できる。
【００１２】
また、上記各支持部４、５を上下動させる駆動手段をエアバッグ６、７と該エアバッグ６、７を膨張収縮させるエアポンプ９で構成することが好ましい。エアバッグ６、７とエアポンプ９からなる駆動手段とすることができる。
【発明の効果】
【００１３】
請求項１に係る発明では、左側支持部及び右側支持部の上下動のタイミングをずらして、着座者の上半身全体を右側や左側に傾け、着座者に上半身の一方の側部の筋肉が伸展すると共に他方の側部の筋肉が収縮する運動を行わせることができ、ストレッチ効果や運動効果を効果的に得ることができる。
【００１４】
また請求項２に係る発明では、請求項１に係る発明の効果に加えて、着座者の上半身を大きく傾けることができ、ストレッチ効果や運動効果をより効果的に得ることができる。
【００１５】
また請求項３に係る発明では、請求項１に係る発明の効果に加えて、左側支持部及び右側支持部の上下動を着座者が意図しない動きとすることができ、運動効果を高めることができる。
【００１６】
また請求項４に係る発明では、請求項１乃至請求項３のいずれか一項に係る発明の効果に加えて、左側支持部及び右側支持部により着座者の上半身の両側部の筋肉を交互に伸展収縮させつつ、背（背中及び腰部）を背押圧部により前方に押圧し、より効果的なストレッチ効果や運動効果が得られる。
【００１７】
また請求項５に係る発明では、請求項４に係る発明の効果に加えて、左右いずれかの背押圧部により背（背中及び腰部）の側部を前方に押圧して上半身を捻ることができ、より効果的なストレッチ効果や運動効果が得られる。
【００１８】
また請求項６に係る発明では、請求項４又は請求項５に係る発明の効果に加えて、着座者の上半身の一方の側部の筋肉が伸展すると共に他方の筋肉が収縮した状態で、背押圧部により背（背中及び腰部）を前方に押圧し、より効果的なストレッチ効果や運動効果が得られる。
【００１９】
また請求項７に係る発明では、請求項１乃至請求項６のいずれか一項に係る発明の効果に加えて駆動手段をエアバッグとエアポンプからなる簡単な構成とすることができる。
【発明を実施するための最良の形態】
【００２０】
以下、本発明を添付図面に示す実施形態に基づいて説明する。図１乃至図３に示す本例の座位式他動運動機器は、椅子１の座面部１ａ上に設置される座部２を備えている。座部２は椅子１とは別体であって且つ椅子１に対して取り外し可能に設置されるものであり、つまり本例の座位式他動運動機器はポータブル式であり、座部２を椅子１の座面部１ａに設置するだけで椅子１を他動運動機器として利用できるようになっている。
【００２１】
座部２が設置される椅子１としては例えば図１に示すような座面部１ａ、脚部１ｂ、背凭れ部１ｃ、肘掛け部１ｄを有するものが利用される。
【００２２】
座部２は全体が弾性を有するクッション材で構成してあって略平らであり、図１のように椅子１の座面部１ａ上の略全体に亘って載置される。ここで、座部２の座面２ａの左半部の略全部は着座者３の臀部左側部分とこれに連続する左脚の付け根部分を支持する左側支持部４となっている。また、座部２の座面２ａの右半部の略全部は着座者３の臀部右側部分とこれに連続する右脚の付け根部分を支持する右側支持部５となっている。つまり着座者３が通常の姿勢で椅子１の座面部１ａに座部２を介して着座した場合には着座者３の荷重は左側支持部４と右側支持部５だけで支持されることとなる。
【００２３】
座部２の左側支持部４に対応する左側略半部と右側支持部５に対応する右側略半部の夫々には膨張収縮可能なエアバッグ６、７を内装している。なお、座部２にはその他にエアバッグを設けていない。
【００２４】
図３に示すように各エアバッグ６、７はエア流路８を介してエアポンプ９に接続してあり、エアポンプ９は制御部１０に電気接続してある。エア流路８はエアポンプ９に接続される一つの主流路１１と、主流路１１から分岐して各エアバッグ６、７に接続される２つの分岐路１２、１３とで構成してある。各分岐路１２、１３には三方電磁弁からなる給排気弁１４、１５を設けあり、各給排気弁１４、１５は制御部１０に電気接続してある。各給排気弁１４、１５は対応する下流側のエアバッグ６、７をエアポンプ９に連通接続した状態と、該エアバッグ６、７をエアポンプ９と非連通とし且つ大気に開放した状態とに切り替えれられる。従って、エアポンプ９を駆動した状態で各給排気弁１４、１５を切り替えることにより、各エアバッグ６、７を独立して膨張収縮させ、これにより対応する支持部４、５を弾性変形して独立して上下動させることができるようになっている。つまり本例では左側支持部４及び右側支持部５を上下動させる駆動手段を各エアバッグ６、７とこれを駆動するエアポンプ９で構成してある。
【００２５】
なお、上記各支持部４、５は対応するエアバッグ６、７の膨張収縮方向を上下方向として上下方向のみに移動するものとしても良いし、また、対応するエアバッグ６、７の膨張方向を上下方向よりも左右方向の外側（他方のエアバッグと反対側）に傾けて上下方向及び左右方向に移動するものとしても良い。
【００２６】
制御部１０には操作部１６を電気接続してあり、使用者によって操作部１６が操作されて駆動指令が出されると、制御部１０はエアポンプ９を駆動すると共に各給排気弁１４、１５を制御して左右のエアバッグ６、７を逆位相で膨張収縮させ、これにより各エアバッグ６、７の上方に位置する左側支持部４及び右側支持部５は逆位相で上下動する。即ちこの場合、給排気弁１４を開いてエアポンプ９から左側のエアバッグ６にエアを供給して膨張させると共に給排気弁１５を閉じて右側のエアバッグ７を大気に開放して収縮させた状態と、逆に給排気弁１５を開いてエアポンプ９から右側のエアバッグ７にエアを供給して膨張させると共に給排気弁１４を閉じて左側のエアバッグ６を大気に開放して収縮させた状態との２つの状態に交互に切り替え、これにより左側支持部４の上昇時には右側支持部５を下降させ、右側支持部５の上昇時には左側支持部４を下降させる。なお、図示は省略するが、エアポンプ９、制御部１０、操作部１６、各給排気弁１４、１５並びにエア流路８の主部は座部２の外側に配設される。
【００２７】
そして上記のように左側支持部４と右側支持部５を独立して上下動させることで、着座者３は上半身の両側部の筋肉を交互に伸展収縮させる他動的な運動を行うことができる。つまり、左側支持部４の上昇時には該左側支持部４によって支持された着座者３の臀部左側半部及び左脚の付け根部分が上昇すると共に右側支持部５によって支持された着座者３の臀部右側半部及び右脚の付け根部分が下降するので、着座者３の上半身は右側に傾けられ、このままでは座部２から落下してしまうので着座者３は反射的に上半身を鉛直方向と平行となるように左側に傾けて重心を左側に移動させるのだが、この際に着座者３の上半身は右側部の筋肉が伸展すると共に左側部の筋肉が収縮することとなる。また同様に右側支持部５の上昇時には着座者３の上半身は左側部の筋肉が伸展すると共に右側部の筋肉が収縮することとなる。そして上記のような他動的な運動を着座者３が行うことで、高いストレッチ効果や運動効果が得られ、この結果、椅子１に長時間着座することによって生じる疲労や、腰痛や背痛等の痛み、こりなどが効果的に解消できる。
【００２８】
なお、上記一例の座位式他動運動機器は左側支持部４及び右側支持部５の夫々を臀部の片側半部と片方の脚の付け根部分を支持するものとし、これら左側支持部４及び右側支持部５の夫々を独立して上下動するように構成したが、各支持部４、５で脚の付け根部分は支持せずに対応する臀部の片側半部のみを支持するものとし、これら支持部４、５を上記同様に独立して上下動するように構成しても良い。また、２つのエアバッグ６、７を１つのエアポンプ９により駆動するようにしたが、エアバッグ６、７毎に駆動用のエアポンプを設けても良い。また、上記一例の座位式他動運動機器は駆動手段により左側支持部４及び右側支持部５を規則的に上下動させるものであるが、同様の駆動手段を用いて左側支持部４及び右側支持部５をランダム（不規則）で上下動させても良い。この場合も、左側支持部４に対して右側支持部５が上方に位置する状態や、逆に右側支持部５に対して左側支持部４が上方に位置する状態とすることができ、上記一例と同様の効果が得られる。加えて各支持部４、５の上下動は着座者３が意図しない動きとなるので、効果を高めることができる。また、本例の座部２は椅子１と別体であるが、椅子１と一体に設けても良い。
【００２９】
次に上記一例の他動運動機器とは異なる他例の他動運動機器について説明する。なお以下の説明では一例の他動運動機器と同一の構成については同一の番号を付与し、重複する説明は省略する。
【００３０】
図４及び図５に示す本例の他動運動機器は上記着座者３の背を受ける背受部１７を備えている。背受部１７は座部２の後端部から上方に向けて一体に突出したものであり、
弾性を有するクッション材により構成される。背受部１７は椅子１の背凭れ部１ｃの前面に配設され、該背受部１７を介して着座者３は椅子１の背凭れ部１ｃに凭れかけることができる。
【００３１】
背受部１７の前面の左右両側部分の夫々は背押圧部１８、１９としてあり、背受部１７の左右両側部分の夫々には膨張収縮可能な背押圧部１８、１９用のエアバッグ２０、２１を内装している。図５に示すように支持部４、５用の両エアバッグ６、７と背押圧部１８、１９用の両エアバッグ２０、２１はエア流路８を介してエアポンプ９に接続してある。エア流路８は、主流路１１と、主流路１１から分岐して各エアバッグ６、７、２０、２１に接続される４つの分岐路１２、１３、２２、２３とで構成してあり、各分岐路１２、１３、２２、２３に一例と同様の給排気弁１４、１５、２４、２５を設けている。各給排気弁１４、１５、２４、２５は制御部１０に電気接続してある。エアポンプ９を駆動した状態で各給排気弁１４、１５、２４、２５を切り替えることにより、各エアバッグ６、７、２０、２１を独立して膨張収縮させることができる。ここでエアバッグ６、７、２０、２１のうち支持部４、５用のエアバッグ６、７にあっては一例と同様に各支持部４、５を弾性変形して独立して上下動させ、また、背押圧部１８、１９用のエアバッグ２０、２１にあっては各背押圧部１８、１９を弾性変形して独立して前後動させることができるようになっている。つまり本例では、エアバッグ２０、２１及びエアポンプ９により左右の背押圧部１８、１９の夫々を前方に移動させる背押圧部駆動手段を構成してある。
【００３２】
使用者によって操作部１６が操作されて駆動指令が出されると、制御部１０はエアポンプ９を駆動すると共に、一例と同様に各給排気弁１４、１５を制御して左右の支持部４、５用のエアバッグ６、７を逆位相で膨張収縮させ、またこれと同期して左右の背押圧部１８、１９用のエアバッグ２０、２１を逆位相で膨張収縮させ、これにより左側支持部４の上昇時に右側の背押圧部１９を前方に移動させ、また右側支持部５の上昇時に左側の背押圧部１９を前方に移動させる。
【００３３】
そして上記のように左側支持部４と右側支持部５を独立して上下動させると共に左右の背押圧部１８、１９を独立して前後動させることで、前例のように左側支持部４及び右側支持部５により着座者３の上半身の両側部の筋肉を交互に伸展収縮させつつ、背（背中及び腰部）の左右いずれかの側部を背押圧部１８、１９により前方に押圧して上半身を捻ることができ、より効果的なストレッチ効果や運動効果が得られる。
【００３４】
なお、本例では左右の背押圧部１８、１９用のエアバッグ２０、２１を駆動するエアポンプを左右の支持部４、５用のエアバッグ６、７を駆動するエアポンプ９で構成したが、左右の背押圧部１８、１９用のエアバッグ２０、２１を駆動するエアポンプとしてエアポンプ９とは別のエアポンプを設けても良い。さらには、各背押圧部１８、１９用のエアバッグ２０、２１を一つのエアポンプ９により駆動するようにしたが、背押圧部１８、１９用のエアバッグ２０、２１毎に駆動用のエアポンプを設けても良い。
【００３５】
また、本例では左側支持部４の上昇時に右側の背押圧部１９を前方に移動させ、また右側支持部５の上昇時に左側の背押圧部１８を前方に移動させたが、逆に左側支持部４の上昇時に左側の背押圧部１８を前方に移動させ、また右側支持部５の上昇時に右側の背押圧部１９を前方に移動させても良く、この場合は、上半身を上記とは逆方向に捻ることができる。
【００３６】
また、本例では背押圧部駆動手段により左右の背押圧部１８、１９を規則的に前後動させたが、同様の背押圧部駆動手段を用いて左右の背押圧部１８、１９をランダム（不規則）で上下動させても良く、さらにこの場合、左側支持部４及び右側支持部５もランダムで上下動させても良い。また、本例では背受け部に２つの背押圧部１８、１９を設けたが、背押圧部を背受け部に１つだけ設けても良いし、また３以上の複数設けても良い。また、本例の座部２及び背受部１７は椅子１と別体であるが、椅子１と一体に設けても良い。
【００３７】
また、駆動手段はエアバッグに限定されるものではなく、機械的な構造で駆動するものでも良い。
【図面の簡単な説明】
【００３８】
【図１】一例の座位式他動運動機器を椅子に設置した状態を示す正面図である。
【図２】同上の座位式他動運動機器の座部に使用者が着座した状態を示す側面図である。
【図３】同上の座位式他動運動機器のブロック図である。
【図４】他例の座位式他動運動機器の座部に使用者が着座した状態を示す側面図である。
【図５】同上の座位式他動運動機器のブロック図である。
【符号の説明】
【００３９】
２  座部
２ａ  座面
３  着座者
４  左側支持部
５  右側支持部
６  エアバッグ
７  エアバッグ
９  エアポンプ
１７  背受部
１８  背押圧部
１９  背押圧部
【図１】
2009125503.tif 000003
【図２】
2009125503.tif 000004
【図３】
2009125503.tif 000005
【図４】
2009125503.tif 000006
【図５】
2009125503.tif 000007